(57)【要約】【課題】ズボンやスカートのズレ下がりを確実に防止する。【解決手段】本発明は、ズボン又はスカートの中にシャツを入れた状態で該ズボン又はスカートの腰帯の前側部分と前記シャツとの間に装着されるすべり止め器具１０であって、前記腰帯の前側部分裏側に接触する前側すべり止め部１４と前記シャツの表側に接触する後側すべり止め部とを有するすべり止め本体１１と、すべり止め本体１１を支持し、前記腰帯の前側部分に取り付けられる鉤ホック又はボタンに係脱可能に設けられる留め具１２と、を備えていることを特徴とする。【選択図】図６
2017008445.tif 000002
【特許請求の範囲】
【請求項１】
ズボン又はスカートの中にシャツを入れた状態で該ズボン又はスカートの腰帯の前側部分と前記シャツとの間に装着されるすべり止め器具であって、
前記腰帯の前側部分裏側に接触する前側すべり止め部と前記シャツの表側に接触する後側すべり止め部とを有するすべり止め本体と、
該すべり止め本体を支持し、前記腰帯の前側部分に取り付けられる鉤ホック又はボタンに係脱可能に設けられる留め具と、
を備えていることを特徴とするすべり止め器具。
【請求項２】
前記留め具は前記すべり止め本体の上端部から前方に折り返されて形成される係止部を備え、該係止部は前記鉤ホック又はボタンに係脱可能な切欠き部を備え、該切欠き部は、下方が開口された形状を有し、該下方を開閉可能なストッパ部材を備えている請求項１に記載のすべり止め器具。
【請求項３】
前記腰帯の前側部分は、上生地と下生地とが前後に重合するように設けられ、前記鉤ホックは、前記上生地の裏側と前記下生地の表側のいずれか一方に取り付けられる雄ホックと、前記上生地の裏側と前記下生地の表側のいずれか他方に取り付けられる雌ホックと、を備え、前記留め具は前記雌ホックに係脱可能に設けられている請求項１に記載のすべり止め器具。
【請求項４】
前記留め具は、前記すべり止め本体の上端部から前方に折り返されて形成される係止部を備え、該係止部は前記雌ホックに係脱可能な穴により構成される切欠き部を備えている請求項３に記載のすべり止め器具。
【請求項５】
前記腰帯の前側部分は、上生地と下生地とが前後に重合するように設けられ、前記下生地の表側に前記ボタンが取り付けられると共に前記上生地に該ボタンが係止可能なボタン穴が取り付けられ、前記留め具は前記ボタンに係脱可能に設けられている請求項１に記載のすべり止め器具。
【請求項６】
前記留め具は、前記すべり止め本体の上端部から前方に折り返されて形成される係止部を備え、該係止部は前記雌ホックに係脱可能な切欠き部を備え、該切欠き部は側部が開口された形状を有している請求項５に記載のすべり止め器具。
【請求項７】
前記すべり止め本体は、前面に前記前側すべり止め部が形成されると共に後面に前記後側すべり止め部が形成される１枚の板状部材により構成されている請求項１〜６のいずれかの請求項に記載のすべり止め器具。
【請求項８】
前記すべり止め本体は、前面に前記前側すべり止め部が形成された前側板状部材と、後面に前記後側すべり止め部が形成された後側板状部材と、が上端部で互いに連結されて重合可能に構成されている請求項１〜６のいずれかの請求項に記載のすべり止め器具。
【請求項９】
前記留め具は前記すべり止め本体に着脱可能に設けられている請求項１〜８のいずれかの請求項に記載のすべり止め器具。
【発明の詳細な説明】
【技術分野】
【０００１】
本発明は、ズボン又はスカートの中にシャツを入れた状態で該ズボン又はスカートの腰帯の前側部分と前記シャツとの間に装着されるすべり止め器具に関するものである。
【背景技術】
【０００２】
従来、ベルトをしたズボンやスカートがズレ落ちたり、或いは、ズボンやスカートの中に入れたシャツがズレ上がったりするのを防止するため、すべり止めが使用されている。従来のこの種のすべり止めは、シリコン樹脂やポリウレタン製のテープ状の部材をズボンやスカートの腰帯の裏側複数箇所に、熱接着等の貼着や縫合によって取り付けられる（例えば、特許文献１〜４参照）。
【先行技術文献】
【特許文献】
【０００３】
【特許文献１】特開２００１−１１７０９号公報
【特許文献２】特開２０１３−２２７６８３号公報
【特許文献３】実用新案登録第３０５９４４０号公報
【特許文献４】実用新案登録第３１０４６５１号公報
【発明の概要】
【発明が解決しようとする課題】
【０００４】
しかしながら、上記した従来のすべり止めは、ズボンやスカートの腰帯の裏側に貼着や縫合により固定されるため、一端取り付けた後に簡単に取り外すことができないという問題がある。
【０００５】
また、上記した従来のすべり止めは、その機能を発揮するためには、腰帯の複数箇所に取り付ける必要があるため、取り付け作業に手間が掛かるという問題もある。
【０００６】
一方、ファッション性から、敢えてベルトをせずにズボンやスカートを穿くことを好む人も多く、その場合には、従来のすべり止めでは、ズボンやスカートのズレ落ちを十分に防止することができないという問題もある。
【０００７】
本発明は、上記した課題を解決すべくなされたものであり、着脱を容易に行うことができ、ベルトを装着しない場合でもズボンやスカートのズレ下がりを確実に防止することのできるすべり止め器具を提供することを目的とするものである。
【課題を解決するための手段】
【０００８】
上記した目的を達成するため、本発明は、ズボン又はスカートの中にシャツを入れた状態で該ズボン又はスカートの腰帯の前側部分と前記シャツとの間に装着されるすべり止め器具であって、前記腰帯の前側部分裏側に接触する前側すべり止め部と前記シャツの表側に接触する後側すべり止め部とを有するすべり止め本体と、該すべり止め本体を支持し、前記腰帯の前側部分に取り付けられる鉤ホック又はボタンに係脱可能に設けられる留め具と、を備えていることを特徴とする。
【０００９】
また、本発明に係るすべり止め器具において、前記留め具は前記すべり止め本体の上端部から前方に折り返されて形成される係止部を備え、該係止部は前記鉤ホック又はボタンに係脱可能な切欠き部を備え、該切欠き部は、下方が開口された形状を有し、該下方を開閉可能なストッパ部材を備えていてもよい。
【００１０】
また、本発明に係るすべり止め器具において、前記腰帯の前側部分は、上生地と下生地とが前後に重合するように設けられ、前記鉤ホックは、前記上生地の裏側と前記下生地の表側のいずれか一方に取り付けられる雄ホックと、前記上生地の裏側と前記下生地の表側のいずれか他方に取り付けられる雌ホックと、を備え、前記留め具は前記雌ホックに係脱可能に設けられていてもよい。
【００１１】
また、本発明に係るすべり止め器具において、前記留め具は、前記すべり止め本体の上端部から前方に折り返されて形成される係止部を備え、該係止部は前記雌ホックに係脱可能な穴により構成される切欠き部を備えていてもよい。
【００１２】
また、本発明に係るすべり止め器具において、前記腰帯の前側部分は、上生地と下生地とが前後に重合するように設けられ、前記下生地の表側に前記ボタンが取り付けられると共に前記上生地に該ボタンが係止可能なボタン穴が取り付けられ、前記留め具は前記ボタンに係脱可能に設けられていてもよい。
【００１３】
また、本発明に係るすべり止め器具において、前記留め具は、前記すべり止め本体の上端部から前方に折り返されて形成される係止部を備え、該係止部は前記雌ホックに係脱可能な切欠き部を備え、該切欠き部は側部が開口された形状を有していてもよい。
【００１４】
また、本発明に係るすべり止め器具において、前記すべり止め本体は、前面に前記前側すべり止め部が形成されると共に後面に前記後側すべり止め部が形成される１枚の板状部材により構成されていてもよい。
【００１５】
また、本発明に係るすべり止め器具において、前記すべり止め本体は、前面に前記前側すべり止め部が形成された前側板状部材と、後面に前記後側すべり止め部が形成された後側板状部材と、が上端部で互いに連結されて重合可能に構成されていてもよい。
【００１６】
また、本発明に係るすべり止め器具において、前記留め具は前記すべり止め本体に着脱可能に設けられていてもよい。
【発明の効果】
【００１７】
本発明によれば、着脱を容易に行うことができ、ベルトを装着しない場合でもズボンやスカートのズレ下がりを確実に防止することができる等、種々の優れた効果を得ることができる。
【図面の簡単な説明】
【００１８】
【図１】本発明の実施の形態に係るすべり止め器具を示す正面図である。
【図２】本発明の実施の形態に係るすべり止め器具を示す側面図である。
【図３】本発明の実施の形態に係るすべり止め器具を示す正面図である。
【図４】本発明の実施の形態に係るすべり止め器具を示す背面図である。
【図５】本発明の実施の形態に係るすべり止め器具のストッパ部材を示す正面図である。
【図６】本発明の実施の形態に係るすべり止め器具を示す正面図である。
【図７】本発明の実施の形態に係るすべり止め器具を示す正面図である。
【図８】本発明の実施の形態に係るすべり止め器具が装着される鉤ホックを備えたズボンを示す正面図である。
【図９】（１）〜（５）は本発明の実施の形態に係るすべり止め器具を、鉤ホックを備えたズボンに装着する手順を示す正面図である。
【図１０】本発明の実施の形態に係るすべり止め器具を、鉤ホックを備えたズボンに装着した状態を示す正面図である。
【図１１】本発明の実施の形態に係るすべり止め器具を、鉤ホックを備えたズボンに装着した状態を示す側面図である。
【図１２】本発明の実施の形態に係るすべり止め器具が装着されるボタンを備えたズボンを示す正面図である。
【図１３】（１）〜（５）は本発明の実施の形態に係るすべり止め器具を、ボタンを備えたズボンに装着する手順を示す正面図である。
【図１４】本発明の実施の形態に係るすべり止め器具を、ボタンを備えたズボンに装着した状態を示す正面図である。
【図１５】本発明の実施の形態に係るすべり止め器具の変形例を示す正面図である。
【図１６】本発明の実施の形態に係るすべり止め器具の別の変形例を示す正面図である。
【図１７】本発明の実施の形態に係るすべり止め器具のさらに別の変形例においてすべり止め本体に留め具を装着する手順を示す側面図である。
【図１８】本発明の実施の形態に係るすべり止め器具のさらに別の変形例においてすべり止め本体に留め具を装着した状態を示す正面図である。
【図１９】本発明の実施の形態に係るすべり止め器具のさらに別の変形例を示す正面図である。
【発明を実施するための形態】
【００１９】
以下、図面を参照しつつ、本発明の実施の形態に係るすべり止め器具１０について説明する。ここで、図１はすべり止め器具１０を示す正面図、図２はすべり止め器具１０を示す側面図、図３はすべり止め器具１０を示す正面図である。図４はすべり止め器具１０を示す背面図、図５はすべり止め器具１０のストッパ部材２１を示す正面図、図６はすべり止め器具１０を示す正面図、図７はすべり止め器具１０を示す正面図である。なお、以下の説明では、本発明の実施の形態に係るすべり止め器具１０をズボンに装着する場合について例示して説明するが、すべり止め器具１０はスカートにも装着可能であることは言う迄もない。
【００２０】
本実施の形態に係るすべり止め器具１０は、横長矩形板状のすべり止め本体１１と、すべり止め本体１１の上端中央部に取り付けられる留め具１２と、を備えて構成されている。
【００２１】
すべり止め本体１１は、厚さ０．５ｍｍ程度の１枚の板状部材１３（金属板又はアクリル板又はプラスチック板）の前面及び後面にそれぞれ、すべり止め部としてゴム基底部と一体に成形されたゴム部材１４，１５を接着して凹凸面を形成させることにより構成されている。ゴム部材１４，１５は、シリコンゴムやウレタンゴム等から成り、その凹凸面の形状、厚さ、配列は各種変更が可能であるが、本実施の形態では、ゴム部材１４，１５を横直線状に並設し、前面側のゴム部材１４と後面側のゴム部材１５とでその高さ及び厚さが異なるように形成している。なお、すべり止め部は、後面側（シャツ４０側）のゴム部材１５の厚みを前面側（ズボン２４側）の厚みより厚くする方が好ましい。
【００２２】
留め具１２は、図１に示すように上方に延出した縦長帯片状の状態から前方に折り返されて形成される係止部１６を備えている（図１中の一点鎖線が折り返し線）。留め具１２の折り返し部分には、矩形状の開口１７が形成されているため、折り返し作業を容易に行うことができるようになっている。また、この開口１７を形成することにより、折り返した後の留め具１２の上端部の形状が二股形状となるようになっている。
【００２３】
係止部１６は、縦長スリット状の切欠き部１８を備え、この切欠き部１８は下方が開口された形状を有している。切欠き部１８の両側には、アーム片１９が左右一対で形成され、各アーム片１９には高さ方向に等間隔で複数（図示では５箇所ずつ）の係止孔２０が形成されている。各アーム片１９の係止孔２０には、ストッパ部材２１が係脱可能に設けられている。
【００２４】
図５に良く示されているように、ストッパ部材２１は、正面視で凹形状の本体部２２と、本体部２２の左右突出部から上方に延出する折り曲げ部５２と、を備えて構成されている。各折り曲げ部５２を後方に折り曲げて（図５中の一点鎖線が折り曲げ線）、所望な高さの左右係止孔２０に挿入して係止させることで、切欠き部１８の下方が閉塞されるようになっている。図６は、各折り曲げ部５２を最上位置の左右係止孔２０に係止させて係止部１６の開口を最小にした場合を示し、図７は、各折り曲げ部５２を最下位置の左右係止孔２０に係止させて係止部１６の開口を最大にした場合を示している。
【００２５】
次に、図８〜図１１を参照しつつ、上記した構成を備えた本発明の実施の形態に係るすべり止め器具１０を、鉤ホック２３を備えたズボン２４に装着するする手順について説明する。ここで、図８はすべり止め器具１０が装着される鉤ホック２３を備えたズボン２４を示す正面図、図９（１）〜（５）はすべり止め器具１０を、鉤ホック２３を備えたズボン２４に装着する手順を示す正面図、図１０はすべり止め器具１０を、鉤ホック２３を備えたズボン２４に装着した状態を示す正面図、図１１はすべり止め器具１０を、鉤ホック２３を備えたズボン２４に装着した状態を示す側面図である。
【００２６】
図８に示されているように、ズボン２４の腰帯２５の前側部分は、上生地２６と下生地２７とが前後に重合するように形成されている。鉤ホック２３は、上生地２６の裏側に取り付けられる雄ホック２８と、下生地２７の表側に取り付けられる雌ホック２９と、を備えて構成されている。
【００２７】
このような鉤ホック２３を備えたズボン２４の中にシャツ４０（図１１参照）を入れた状態で腰帯２５の前側部分とシャツ４０の間にすべり止め器具１０を装着する場合、まず、図９（１）及び（２）に示すように、係止部１６の切欠き部１８を雌ホック２９に係合させる。
【００２８】
次いで、後方に折り曲げたストッパ部材２１の各折り曲げ部５２を、図９（３）及び（４）に示すように、雌ホック２９の大きさに合わせて所望な高さの左右係止孔２０に挿入して係止させることで、切欠き部１８の下方が閉塞される。この状態において、図９（５）に示すように、雄ホック２８を側方から雌ホック２９に挿入し、係止させることにより、図１０及び図１１に示されているように、留め具１２が鉤ホック２３に係止され、すべり止め器具１０はズボン２４に装着される。
【００２９】
なお、すべり止め器具１０をズボン２４から取り外す場合には、上記した手順と反対の手順で行う。
【００３０】
次に、図１２〜図１４を参照しつつ、上記した構成を備えた本発明の実施の形態に係るすべり止め器具１０を、ボタン３０を備えたズボン３１に装着するする手順について説明する。ここで、図１２はすべり止め器具１０が装着されるボタン３０を備えたズボン３１を示す正面図、図１３（１）〜（５）はすべり止め器具１０を、ボタン３０を備えたズボン３１に装着する手順を示す正面図、図１４はすべり止め器具１０を、ボタン３０を備えたズボン３１に装着した状態を示す正面図である。
【００３１】
図１２に示されているように、ズボン３１の腰帯３２の前側部分は、上生地３３と下生地３４とが前後に重合するように形成されている。下生地３４の表側にボタン３０が取り付けられると共に上生地３３にボタン３０が係止可能なボタン穴３５が取り付けられている。
【００３２】
このようなボタン３０を備えたズボン３１の中にシャツ４０（図１１参照）を入れた状態で腰帯３２の前側部分とシャツ４０の間にすべり止め器具１０を装着する場合、まず、図１３（１）及び（２）に示すように、係止部１６の切欠き部１８をボタン３０の糸足に係合させる。
【００３３】
次いで、後方に折り曲げたストッパ部材２１の各折り曲げ部５２を、図１３（３）及び（４）に示すように、ボタン３０の糸足の位置に合わせて所望な高さの左右係止孔２０に挿入して係止させることで、切欠き部１８の下方が閉塞される。この状態において、図１３（５）に示すように、ボタン３０をボタン穴３５に挿入し、係止させることにより、図１４に示されているように、留め具１２がボタン３０に係止され。すべり止め器具１０はズボン３１に装着される。
【００３４】
なお、すべり止め器具１０をズボン３１から取り外す場合には、上記した手順と反対の手順で行う。
【００３５】
なお、上記した本発明の実施の形態に係るすべり止め器具１０は、鉤ホック２３を備えたズボン２４とボタン３０を備えたズボン３１のいずれのタイプのズボン２４，３１にも使用可能な構成を備えているが、本発明はこの形態に限定されるものではない。
【００３６】
すなわち、係止部１６を、例えば、図１５に示すように、雄ホック２８に係脱可能な穴により構成された切欠き部４１を備えるように構成したり、或いは、図１６に示すように、ボタン３０の糸足が挿入可能な開口が側部に形成された切欠き部４２を備えるように構成したりしてもよい。
【００３７】
また、上記した本発明の実施の形態に係るすべり止め器具１０は、すべり止め本体１１が１枚の板状部材１３の前面及び後面に、それぞれすべり止め部としてゴム基底部と一体に成形されたゴム部材１４，１５が接着されて構成されているが、本発明はこの形態に限定されるものではない。
【００３８】
すなわち、すべり止め本体１１は、例えば、図１７及び図１８に示すように、前面にすべり止め部（例えば、ゴム部材１４）を有する前側板状部材４３と、後面にすべり止め部（例えば、ゴム部材１５）を有する後側板状部材４４と、をそれぞれの上端部の両サイドに取り付けた２箇所の蝶番４５によって回転可能なように連結して重合させてもよい。この場合、一方の板状部材（図１７では、前側板状部材４３）の下端部にストッパ５１を設け、このストッパ５１によって前側板状部材４３と後側板状部材４４との重合状態がずれることなく安定するように保持されるようにしてもよい。
【００３９】
さらに、図１７に示すように、すべり止め本体１１の上端中央部に留め具１２を挿脱可能なスリット孔４６を形成すると共に、留め具１２の中間部分に左右（図１７の紙面垂直方向）に延出する抜け止め防止部材４７を取り付け、すべり止め本体１１に対して留め具１２を着脱可能なように構成してもよい。これにより、使用するズボンのタイプ（鉤ホック２３を備えたズボン２４、又はボタン３０を備えたズボン３１）に合わせて、留め具１２を使い分けることができる。また、すべり止め本体１１に比べて留め具１２の耐用年数が短い場合には、留め具１２だけを交換することですべり止め器具１０を使用し続けることができるため、経済性を高めることができる。
【００４０】
また、図１９に示すように、すべり止め部である前面側のゴム部材１４と後面側のゴム部材とを、上下中央部分にスリット状の開口４８を設けた袋状ゴム体４９として一体に形成し、この開口４８から袋状ゴム体４９の内部に、板状部材１３の上端中央部に留め具１２を取り付けた本体部分５０を着脱可能なように構成することもできる。
【００４１】
このように上記した本発明の実施の形態に係るすべり止め器具１０は、ウェストの前側中央部分においてズボン又はスカートに装着されるように構成されており、ズボン又はスカートの腰帯２５，３２がウェストを内側へ締め付ける力と、ウェストの前側中央部が外側へ張り出す力を利用することができるため、例えベルトを装着しなくとも、ズボン又はスカートのズレ下がりを確実に防止することができる。また、ウェストの前側中央部に装着することで、装着時に安心感及び安定感を与えることができる。
【００４２】
また、すべり止め器具１０は容易に着脱可能なように構成されているため、例えば、食後のウェストが張った時に取り外したり、或いは、ズボン又はスカートにベルトを使用する場合に取り外したり、或いは、ズボン又はスカートを他のものに着替える場合に付け替えたりする等、使用者のウェストの状態や使い勝手等に合わせて自由に着脱することができる。
【００４３】
また、本発明の実施の形態に係るすべり止め器具１０は、鉤ホック２３とボタン３０のタイプの異なるズボン又はスカート、或いは、異なる形状、位置、大きさを有する各種タイプの鉤ホック２３やボタン３０にも柔軟に対応可能であり、用途の拡大化を図ることができる。
【００４４】
また、すべり止め器具１０は装着時にズボン又はスカートの腰帯２５，３２の裏側に隠れ、外観から装着の有無が分かり難いため、ファッション性を高めることができる。さらに、軽くてコンパクトであるため、ズボン又はスカートに対する加重負担の軽減を図ることができる。
【００４５】
なお、上記した本発明の実施の形態の説明は、本発明に係るすべり止め器具における好適な実施の形態を説明しているため、技術的に好ましい種々の限定を付している場合もあるが、本発明の技術範囲は、特に本発明を限定する記載がない限り、これらの態様に限定されるものではない。さらに、上記した本発明の各実施形態における構成要素は適宜、既存の構成要素等との置き換えが可能であり、且つ、他の既存の構成要素との組合せを含む様々なバリエーションが可能であり、上記した本発明の各実施形態の記載をもって、特許請求の範囲に記載された発明の内容を限定するものではない。
【符号の説明】
【００４６】
１０    すべり止め器具
１１    すべり止め本体
１２    留め具
１３    板状部材
１４    前面側ゴム部材（前側すべり止め部）
１５    後面側ゴム部材（後側すべり止め部）
１６    係止部
１８    切欠き部
２１    ストッパ部材
２３    鉤ホック
２４    ズボン
２５    腰帯
２６    上生地
２７    下生地
２８    雄ホック
２９    雌ホック
３０    ボタン
３１    ズボン
３２    腰帯
３３    上生地
３４    下生地
３５    ボタン穴
４０    シャツ
４３    前側板状部材
４４    後側板状部材
【図１】
2017008445.tif 000003
【図２】
2017008445.tif 000004
【図３】
2017008445.tif 000005
【図４】
2017008445.tif 000006
【図５】
2017008445.tif 000007
【図６】
2017008445.tif 000008
【図７】
2017008445.tif 000009
【図８】
2017008445.tif 000010
【図９】
2017008445.tif 000011
【図１０】
2017008445.tif 000012
【図１１】
2017008445.tif 000013
【図１２】
2017008445.tif 000014
【図１３】
2017008445.tif 000015
【図１４】
2017008445.tif 000016
【図１５】
2017008445.tif 000017
【図１６】
2017008445.tif 000018
【図１７】
2017008445.tif 000019
【図１８】
2017008445.tif 000020
【図１９】
2017008445.tif 000021